(57)【特許請求の範囲】
【請求項１】
ボトムシェル（１０）と、
上部カバー（５０）と、を有し、
前記ボトムシェル（１０）の後端（１２）に排風口（１２２）とファン組立体（３０）が設けられ、上部カバー（５０）はボトムシェル（１０）上に被覆且つ接続され、ファン組立体（３０）からの空気流は排風口（１２２）に排出されており、ファン組立体（３０）にファン（３３）とステータ（３３１）が設けられる掃除機において、
前記後端（１２）に下部フレーム（１２１）が設置され、ファン組立体（３０）と排風口（１２２）を密閉に包囲されるように形成された気流通路（３５）であって前記気流通路（３５）におけるステータ（３３１）に集熱器（４０）が設けられ、
前記ファン組立体（３０）はフロントシェル（３１）とリアシェル（３２）を有し、フロントシェル（３１）とリアシェル（３２）はファン（３３）を包囲しており、前記フロントシェル（３１）に吸気口（３１１）が設けられ、前記リアシェル（３２）は貫通状に呈しており、前記下部フレーム（１２１）に対する側に対称の上部フレーム（３２１）が設けられ、上部フレーム（１２１）と下部フレーム（３２１）は接合して密閉の気流通路空間を形成しており、前記リアシェル（３２）の末端に末端口（３２２）と下に開口する排気口（３２３）が設けられ、前記末端口（３２２）に、着脱可能のキャップであって前記末端口（３２２）に連結された末端キャップ（３４）が設けられ、密閉の気流通路（３５）は前記吸気口（３１１）とファン（３３）と排気口（３２３）との間に形成される、
ことを特徴とする掃除機。
【請求項２】
前記リアシェル（３２）内に前記ファン（３３）を固定するための固定ベース（３２４）が設けられ、前記固定ベース（３２４）は４つのリブ（３２５）を介して前記リアシェル（３２）に連結されており、隣接するリブ（３２５）の間に空気流流動用の第二の通孔（３２６）が設けられる、
ことを特徴とする請求項１に記載の掃除機。
【請求項３】
前記ボトムシェル（１０）の排風口（１２２）側に、前記排風口（１２２）に面対し設置され、熱気流を旋回且つ滞留させる隆起する覆蓋領域（１２３）が設けられる、
ことを特徴とする請求項１又は２に記載の掃除機。
【請求項４】
前記集熱器（４０）は上部キャップ（４１）と下部キャップ（４２）を有し、上部キャップ（４１）と下部キャップ（４２）は結合且つ連結され前記ステータ（３３１）に固定されており、前記上部キャップ（４１）と下部キャップ（４２）にそれぞれ第一のフィン（４３）が設けられる、
ことを特徴とする請求項３に記載の掃除機。
【請求項５】
前記集熱器（４０）は上部キャップ（４１）と下部キャップ（４２）を有し、上部キャップ（４１）と下部キャップ（４２）は結合且つ連結され前記ステータ（３３１）に固定されており、前記上部キャップ（４１）と下部キャップ（４２）にそれぞれ第一のフィン（４３）が設けられる、
ことを特徴とする請求項１又は２に記載の掃除機。
【請求項６】
アイロン機能を有する掃除機であって、
請求項１乃至５のいずれか１項に記載の掃除機を有し、
前記後端（１２）に前記ボトムシェル（１０）に連通する第一の連通口（１２４）が設けられ、前記第一の連通口（１２４）に、排風口（１２２）に流入する熱気流を利用して加熱されるアイロンプレート（６０）が設けられる、
ことを特徴とするアイロン機能を有する掃除機。
【請求項７】
前記排風口（１２２）と前記アイロンプレート（６０）の間にセパレート（１２５）が設置され、前記セパレート（１２５）と前記排風口（１２２）を包囲する前記下部フレーム（１２１）の間に、前記アイロンプレート（６０）に流入する熱気流を前記セパレート（１２５）の間で旋回且つ滞留させる隙間が形成され、利用済の熱気流はその隙間から前記排風口（１２２）を経由し外部に排出される、
ことを特徴とする請求項６に記載のアイロン機能を有する掃除機。
【請求項８】
前記アイロンプレート（６０）が前記ファン組立体（３０）に面対する方向に第二のフィン（６１）が凸設される、
ことを特徴とする請求項６又は７に記載のアイロン機能を有する掃除機。
【発明の詳細な説明】
【発明の属する技術分野】
【０００１】
本発明は、掃除機に関するものであり、特にファンの熱エネルギーを利用する掃除機、及びアイロン機能を有する掃除機に関するものである。
【背景技術】
【０００２】
現在、家庭用の掃除機は、キルト、シート、マットレスの掃除などのための疑似鼓動手段として進化してきた。更に、ＵＶライトが搭載され、微生物例えばダニを滅菌することができるものもある。効果的な滅菌の先行技術文献として、欧州特許第０３９５７８７号公報では、ダニ駆除方法および装置(Ｍｅｔｈｏｄ  ａｎｄ  ａｐｐａｒａｔｕｓ  ｆｏｒ  ｃｏｍｂａｔｉｎｇ  ｄｏｍｅｓｔｉｃ  ｍｉｔｅｓ)が開示されており、掃除機のノズルに熱空気吸気機が設置され、６０〜７０℃の熱風を排出しダニを滅菌するという特徴開示されている。熱風は効果的な滅菌することができるものの、エネルギー浪費の問題がある。そこで、中国特許第１０２１８８１９０号公報では、真空クリーナーが開示されており、下部筐体に電気ヒーターに加熱される熱プレートが設置され、ダニを滅菌すると共にアイロン機能も有するという特徴が開示されている。しかしながら、この発明もエネルギー浪費の問題がある。また、アイロンで滅菌を行う先行技術文献として、韓国特許公開第１０−２０１３−０００３２４０号公報では、掃除機が開示されており、底部にファンの熱エネルギーを吸収する熱交換プレート（Ｈｅａｔ  Ｅｘｃｈａｎｇｅ  Ｐｌａｔｅ）が設置されるという特徴が開示されている。熱交換プレートの温度が上昇してもエネルギーの浪費は抑制されるものの、ファンの熱エネルギーは間接的に奪われ、空気流温度の上昇に制限がかかり、熱交換プレートの温度は十分に上昇できず滅菌が困難になってしまう。また、ファンの熱エネルギーを捕捉する先行技術文献として、中国特許公開第１０２２４４４３４号明細書では、モーター組立体が開示されており、ステータに急速冷却用の放熱パイプが設けられるという特徴が開示されている。しかしながら、そのモーターの熱エネルギーはリサイクルすることができない。上記の先行技術文献から明らかなように、熱風とアイロン殺菌の種類に分けており、熱源としては加熱器とファンの熱エネルギーである上、直接的および間接的の二つの種類に分けることが知られているものの、いずれも改善する余地がある。
【発明の概要】
【０００３】
上記課題に鑑み、本発明の目的は、ファンの運転による熱を急速に集中させると共に空気流と排出させ、加熱済の空気流を排風口に排出し滅菌を行うことで、効率的にダニを滅菌且つファンを冷却することができる、ファンの熱エネルギーを利用する掃除機を提供することである。また、本発明は、加熱空気流によりアイロンプレートを加熱させることでアイロン機能を発揮することができる、アイロン機能を有する掃除機を更に提供するものである。
【０００４】
上記目的を達成するために、本発明は下記の技術手段で課題を解決するものである。
【０００５】
ファンの熱エネルギーを利用する掃除機であって、ボトムシェルと、上部カバーと、を有し、前記ボトムシェルの後端に排風口とファン組立体が設けられ、ボトムシェル上に上部カバーが被覆且つ接続され、ファン組立体からの空気流は排風口に排出されており、ファン組立体にファンとステータが設けられ、前記後端に下部フレームが設置され、ファン組立体と排風口を密閉に包囲されるように形成された気流通路であって前記気流通路におけるステータに集熱器が設けられる、ことを特徴とする。
【０００６】
また、好ましい一実施例では、前記ファン組立体はフロントシェルとリアシェルを有し、フロントシェルとリアシェルはファンを包囲しており、前記フロントシェルに吸気口が設けられ、前記リアシェルは貫通状に呈しており、前記下部フレームに対する側に対称の上部フレームが設けられ、上部フレームと下部フレームは接合して密閉の気流通路空間を形成しており、前記リアシェルの末端に末端口と下に開口する排気口が設けられ、前記末端口に、着脱可能のキャップであって前記末端口に連結された末端キャップが設けられ、密閉の気流通路は前記吸気口とファンと排気口との間に形成される、ことを特徴とする。
【０００７】
また、好ましい一実施例では、前記リアシェル内に前記ファンを固定するための固定ベースが設けられ、前記固定ベースは４つのリブを介して前記リアシェルに連結されており、隣接するリブの間に空気流流動用の第の二通孔が設けられる、ことを特徴とする。
【０００８】
また、好ましい一実施例では、前記ボトムシェルの排風口側に、前記排風口に面対し設置され、熱気流を旋回且つ滞留させる隆起の覆蓋領域が設けられる、ことを特徴とする。
【０００９】
また、好ましい一実施例では、前記集熱器は上部キャップと下部キャップを有し、上部キャップと下部キャップは結合且つ連結され前記ステータに固定されており、前記上部キャップと下部キャップにそれぞれ第一のフィンが設けられる、ことを特徴とする。
【００１０】
また、一実施例では、アイロン機能を有する掃除機であって、上記いずれか１段落に記載のファンの熱エネルギーを利用する掃除機を有し、前記後端に前記ボトムシェルに連通する第一の連通口が設けられ、前記第一の連通口に、排風口に流入する熱気流を利用して加熱されるアイロンプレートが設けられる、ことを特徴とする。
【００１１】
また、好ましい一実施例では、前記排風口と前記アイロンプレートの間にセパレートが設置され、前記セパレートと前記排風口を包囲する前記下部フレームの間に、前記アイロンプレートに流入する熱気流を前記セパレートの間で旋回且つ滞留させる隙間が形成され、利用済の熱気流はその隙間から前記排風口に流入し外部に排出される、ことを特徴とする。
【００１２】
また、好ましい一実施例では、前記アイロンプレートが前記ファン組立体に面対する方向に第二のフィンが凸設される、ことを特徴とする。
【００１３】
本発明によれば、奏する効果は下記の通りである。
１、本発明の掃除機は、集熱器がファンのステータに設けられることで、ファンの運転による熱を急速に集中させると共に空気流と排出させ、熱エネルギーをリサイクルすることができる上、エネルギーの浪費を抑制しつつファンの温度を低下させることができる。
２、本発明の掃除機における隆起の覆蓋領域は、熱気流を旋回且つ滞留させることで、温度を持続的に高めつつ熱エネルギーを提供すると共に、効率的に滅菌することができる。
３、本発明の掃除機におけるアイロンプレートは、熱風に加熱されると、滅菌とアイロンの機能を発揮することができる。
【図面の簡単な説明】
【００１４】
【図１】本発明の好適な実施例におけるファンの熱エネルギーを利用する掃除機の分解図である。
【図２】本発明の一実施例におけるファンの分解図、及び気流通路を示す図である。
【図３】本発明の一実施例におけるボトムシェルの後端の排風口側の断面図である。
【図４】図１における掃除機の側面組立断面図である。
【図５】本発明の一実施例におけるアイロン機能を有する掃除機のボトムシェルの立体図である。
【図６】図５におけるボトムシェルの後端の排風口側の断面図である。
【発明を実施するための形態】
【００１５】
本発明実施例におけるファンの熱エネルギーを利用する掃除機は図１及び図２に示すように、掃除機のボトムシェル１０の前端１１には、従来の鼓動装置、ＵＶランプ、吸入口、ダストボックス等が設けられており、その後端１２ に下部フレーム１２１が設けられ、下部フレーム１２１に包囲された範囲に排風口１２２が設けられる。排風口１２２はフェンス型に設置されており、排風口１２２側のボトムシェル１０に隆起の覆蓋領域１２３が形成されることで、排風口１２２の空気流を覆蓋領域１２３に流入させると共に空気流を停滞且つ回転させる。
【００１６】
後端１２に末端フレーム２０とファン組立体３０が順次に設けられ、更に従来のスイッチとハンドルが設けられる。ボトムシェル１０は上部カバー５０を覆われており、上部カバー５０とファン組立体３０と下部フレーム１２１との間に密閉の空間が形成され、ファン組立体３０の空気流は制限されるように排風口１２２に流入する。
【００１７】
ファン組立体３０は、フロントシェル３１とリアシェル３２がファン３３を包囲するように構成されている。フロントシェル３１に吸気口３１１が設けられ、リアシェル３２は貫通状に呈しており、下部フレーム１２１に対する側に対称の上部フレーム３２１が設けられ、上部フレーム１２１と下部フレーム３２１は接合して密閉の気流通路空間を形成する。リアシェル３２の末端に末端口３２２と下に開口する排気口３２３が設けられており、末端口３２２が着脱可能の末端キャップ３４により閉じられることで、吸気口３１１とファン３３と排気口３２３との間に形成される気流通路３５はリアシェル３２内に延在しつつボトムシェル１０に延伸する。
【００１８】
リアシェル３２内にファン３３を固定するための固定ベース３２４が設けられ、固定ベース３２４とリアシェル３２の間では４つのリブ３２５を介して連結されており、隣接するリブ３２５の間に空気流流動用の第の二通孔３２６が設けられる。
【００１９】
ファン３３のステータ３３１に集熱器４０が設けられ、集熱器４０は急速にファン３３の運転による熱を収集することができる。なお、集熱器４０が気流通路３５に設けられることで、集熱器４０に吸収された熱は流入の空気流に急速に奪われると共に、流入の空気流の温度を上昇させることができる。集熱器４０は金属製であることが好ましい。また、ステータ３３１に容易に取付と密着されるため、集熱器は上部キャップ４１と下部キャップ４２を有しており、上部キャップ４１と下部キャップ４２共に第一のフィン４３が凸設られる。これにより、集熱器に吸収された熱は空気流に急速に奪われる。
【００２０】
図３、４を参照されたい。図３はフェンス型排風口１２２の断面図であり、図４は後端１２とリアシェル３２の組立体の断面図である。集熱器４０に流入して加熱された熱気流は、第二の通孔を経由して排気口３２３から下に流動しており、上部フレーム１２１と下部フレーム３２１とで形成された密閉の空間により、空気流を排気口１２２に流入させ熱気流は排出される。排出された熱気流は排気口１２２を清潔し滅菌することができる。また、滅菌効果を向上させるため、ボトムシェル１０に隆起の覆蓋領域１２３が形成され、排風口１２２は覆蓋領域１２３に面対し、熱気流を覆蓋領域１２３内に旋回且つ停滞させることで、温度を維持しつつ効率的に滅菌することができる。
【００２１】
図５、６を参照されたい。熱気流の利用性を更に向上させるため、後端１２にボトムシェル１０に連通する第一の連通口１２４が設けられ、第一の連通口にアイロンプレート６０が設けられる。これにより、下に向けて排風口に流入する熱気流はアイロンプレート６０を加熱できる。また、掃除機の運転する際に、アイロンプレート６０が掃除対象にアイロンを掛けることで、掃除機はアイロン機能を発揮することができる。この際、アイロンプレート６０の移動経路におけるダニは滅菌される。また、より効率的に熱気流を吸収するため、アイロンプレート６０が前記ファン組立体３０に面対する方向に第二のフィン６１が設置される。更に、排風口１２２とアイロンプレート６０の間にセパレート１２５が設置され、セパレート１２５と排風口１２２を包囲する下部フレーム１２１の間に隙間が形成される。これにより、アイロンプレート６０に流入する熱気流をセパレート１２５の間で旋回且つ滞留させ、アイロンプレート６０は熱気流を吸収し加熱され、利用済の熱気流はその隙間から排風口１２２に流入し外部に排出される。
【００２２】
以上、本発明の好ましい実施例について説明したが、これらの実施例は種々の変更や変化を追加されることができるのは言うまでもない。よって、当業者による顕著な設計変更や変化などを行っても、別紙の本発明の特許請求の範囲に含まれる。
【符号の説明】
【００２３】
１０ ボトムシェル
１１ 前端   １２ 後端
１２１ 下部フレーム １２２ 排風口
１２３ 覆蓋領域  １２４ 第一の連通口
１２５ セパレート
２０ 末端フレーム
３０ ファン組立体
３１ フロントシェル ３１１ 吸気口
３２ リアシェル
３２１ 上部フレーム ３２２ 末端口
３２３ 排気口   ３２４ 固定ベース
３２５ リブ   ３２６ 第二の通孔
３３ ファン   ３３１ ステータ
３４ 末端キャップ ３５ 気流通路
４０ 集熱器
４１ 上部キャップ ４２ 下部キャップ
４３ 第一のフィン ６１ 第二のフィン
５０ 上部カバー  ６０ アイロンプレート
【図１】
0006605727.tif 000002
【図２】
0006605727.tif 000003
【図３】
0006605727.tif 000004
【図４】
0006605727.tif 000005
【図５】
0006605727.tif 000006
【図６】
0006605727.tif 000007